(57)【要約】【課題】バッグ本体の内部空間を中仕切りで区画して使用することもできるが、バッグ本体の内部空間にサイズの大きな物を収納する場合は中仕切りを邪魔にならない状態にすることができ、かつ、その中仕切りの紛失を防止できるバッグを提供する。【解決手段】バッグ本体１の内部空間２を区画する中仕切り３の下辺部に沿って柔軟性を有する可変裾部４を設け、その中仕切り３の可変裾部４の下端部をバッグ本体１の底１１に接続して中仕切り３のその他の周辺部をフリーとなし、その中仕切り３の可変裾部４を上下方向に伸ばしたり又は横向きに折り曲げることによって中仕切り３を内部空間２の中間部に位置させたり又は内部空間２の端に寄せて使用可能としたことを特徴とする。【選択図】　　　　図３
2004008369.tif 000002
【特許請求の範囲】
【請求項１】
バッグ本体１の内部空間２を区画する中仕切り３の下辺部に沿って柔軟性を有する可変裾部４を設け、その中仕切り３の可変裾部４の下端部をバッグ本体１の底１１に接続して中仕切り３のその他の周辺部をフリーとなし、その中仕切り３の可変裾部４を上下方向に伸ばしたり又は横向きに折り曲げることによって中仕切り３を内部空間２の中間部に位置させたり又は内部空間２の端に寄せて使用可能としたことを特徴とするバッグ。
【発明の詳細な説明】
【０００１】
【発明の属する技術分野】
本発明はバッグ、特に中仕切りを備えたバッグに関する。
【０００２】
【従来の技術】
中仕切りを備えた従来のバッグは、その中仕切りがバッグ本体の内部において一定の位置に固定されていた。
【０００３】
したがって、中仕切りにより区画されたバッグ本体の内部空間の広さも一定不変であった。
【０００４】
ところで、中仕切りにより分割されたバッグ本体の内部空間に収まり切れないサイズの物をバッグ本体の内部に収納しようとすると中仕切りが邪魔になった。そこで、中仕切りを取り外し可能としたバッグも考案されたが、取り外した中仕切りが紛失するという問題があった。
【０００５】
【発明が解決しようとする課題】
そこで本発明は、バッグ本体の内部空間を中仕切りで区画して使用することもできるが、バッグ本体の内部空間にサイズの大きな物を収納する場合は中仕切りを邪魔にならない状態にすることができ、かつ、その中仕切りの紛失を防止できるバッグの提供を課題とする。
【０００６】
【課題を解決するための手段】
上記課題を解決するために、本発明のバッグは、バッグ本体１の内部空間２を区画する中仕切り３の下辺部に沿って柔軟性を有する可変裾部４を設け、その中仕切り３の可変裾部４の下端部をバッグ本体１の底１１に接続して中仕切り３のその他の周辺部をフリーとなし、その中仕切り３の可変裾部４を上下方向に伸ばしたり又は横向きに折り曲げることによって中仕切り３を内部空間２の中間部に位置させたり又は内部空間２の端に寄せて使用可能としたことを特徴とする、という構成にしたものである。
【０００７】
【発明の実施の形態】
以下、図示した一実施例に基づき本発明の実施の形態について説明する。まず、本発明のバッグの種類、形状、構造、素材等は自由である。そして、バッグ本体１は、もちろん、物品を収納可能な内部空間２を有して、その内部空間２に中仕切り３を備えている。
【０００８】
中仕切り３は下辺部に沿って、つまり、下端から少し上方位置までの個所に柔軟性を有してフレキシブルな可変裾部４を設けている。この可変裾部４の構造は自由であり、例えば図示した実施例のように、柔軟性を有する生地５で硬い芯材６を被覆することにより中仕切り３の下辺部を除く部位を形成し、中仕切り３の下辺部は芯材６を抜いて柔軟性を有する生地５のみとする構造にすることができる。
【０００９】
中仕切り３のその他の構造は自由であり、例えば図示した実施例のように、上辺部をスライドファスナ７で開閉自在とした袋部８を有する構造とし、又、外側の側面部に小物を入れるポケット９やペン差し１０などを設けることができる。
【００１０】
中仕切り３は下端部だけをバッグ本体１の底１１に接続して、その他の周辺部はフリーとしている。中仕切り３の下端部は、図示した実施例のように、底１１における前後方向の中間部に接合することができる。この場合、底１１の中間部にジャバラ状の折り目を設けて、中仕切り３の下端部をその折り目の内側に挟んで一体に縫着することにより接合することができる。
【００１１】
中仕切り３の下端部を上記のように底１１の中間部に接続した構造とした場合、図２に示すように、その中仕切り３の可変裾部４を上下方向に伸ばすと、中仕切り３はバッグ本体１の前胴１２と後胴１３の中間部に位置して内部空間２を区画し、本来の仕切りの役割を果たすことができる。
【００１２】
中仕切り３は内部空間２の中間位置で固定する必要があるが、その固定手段は自由である。例えば図示した実施例のように、中仕切り３の両サイドをバッグ本体１の左右のマチ１４，１５に対しそれぞれ接続して固定することができる。そして、その接続手段も自由であり、例えば図示した実施例のように、左右のマチ１４，１５にそれぞれ舌状片１６，１７を取り付けて、その舌状片１６，１７と中仕切り３の両サイドに互いに着脱自在な留め具を取り付けることができる。なお、留め具の種類は自由であり、図示した実施例のように雌ホック１８と雄ホック１９を用いることができるが、その他の留め具、例えば雌雄の面ファスナなどを用いることも可能である。
【００１３】
次に、中仕切り３の可変裾部４を前方又は後方へ横向きに折り曲げると、その中仕切り３を内部空間２の端に寄せて、前胴１２又は後胴１３の内面部に近接する位置に移動させることができる。つまり、可変裾部４の長さは、中仕切り３の接続位置から前胴１２又は後胴１３の内面部までの距離にほぼ等しく設定している。なお、図示した実施例のように上記のポケット９やペン差し１０を後胴１３の内面と対向する側面部に設けた場合は、図３に示すように、中仕切り３の可変裾部４を前方へ横向きに折り曲げて、中仕切り３を内部空間２の前端側に移動させて前胴１２の内面部に近接させ、逆に、ポケット９やペン差し１０を前胴１２の内面と対向する側面部に設けた場合（図示せず）は、可変裾部４を後方へ横向きに折り曲げて、中仕切り３を内部空間２の後端側に移動させて後胴１２の内面部に近接させることが好ましい。このようにすれば、中仕切り３を移動させてもポケット９やペン差し１０が使用可能となるからである。
【００１４】
中仕切り３を内部空間２の端に寄せた場合も、その中仕切り３を固定する必要がある。その固定手段は自由であり、例えば図示した実施例のように、中仕切り３において上記のポケット９やペン差し１０を設けていない側の側面部をバッグ本体１の前胴１２又は後胴１３の内面部に接続して固定することができる。そして、その接続手段も自由であるが、中仕切り３の両サイドを上記の舌状片１６，１７に接続するために用いた留め具を利用することができる。例えば、図示した実施例のように、中仕切り３の両サイドの側面部に雄ホック１９を取り付けてある場合は、その雄ホック１９と着脱自在な雌ホック１８をバッグ本体１の前胴１２又は後胴１３の内面部に取り付けることができる。なお、中仕切り３を内部空間２の端に寄せる場合は、上記のように可変裾部４を横向きに折り曲げる分だけ中仕切り３の背が低くなるので、その雌ホック１８を取り付ける位置もその分だけ低くする。
【００１５】
上記のように中仕切り３を内部空間２の端に寄せれば、その中仕切り３が邪魔にならず、内部空間２を広げることができるので、中仕切り３により区画されていた内部空間２に収まり切れないサイズのものでも容易に収納可能となる。そして、中仕切り３は取り外さないので紛失する虞がない。
【００１６】
なお、上記の実施例では、中仕切り３の下端部をバッグ本体１の底１１の中間部に接続していたが、逆に、中仕切り３の下端部を内部空間２の底１１の端に接続することも可能である（図は省略）。このようにすると、可変裾部４を上下方向に伸ばした状態で、中仕切り３を前胴１２又は後胴１３の内面部に近接させ、可変裾部４を横向きに折り曲げた状態で、中仕切り３を内部空間２の中間部に位置させることができる。
【００１７】
【発明の効果】
本発明のバッグは、上記のように中仕切り３を移動させてその位置を変更することにより、中仕切り３を使い分けできる利便性がある。すなわち、中仕切り３を内部空間２の中間部に位置させて内部空間２を区画することにより本来の仕切りとして使用することができ、これにより内部空間２に収納する物品を整理しやすくなる。また、中仕切り３を内部空間２の端へ移動させて、仕切りが無いのと同じ状態にすることにより、中仕切り３に区画されている内部空間２には収納しきれない大きいサイズの物品でも容易に収納可能となる。また、中仕切り３の位置を変更して使い分ける場合に、可変裾部４を上下方向に伸ばしたり又は横向きに折り曲げたりすればよく、中仕切り３は下端部がバッグ本体１の底１１に常に接続されているので、中仕切り３が紛失する虞はない。
【図面の簡単な説明】
【図１】中仕切りをバッグ本体における内部空間の中間部に位置させた状態を示す斜視図である。
【図２】図１のＡ−Ａ線における一部省略断面図である。
【図３】中仕切りをバッグ本体における内部空間の端に寄せた状態を示す断面図である。
【符号の説明】
１　バッグ本体
２　内部空間
３　中仕切り
４　可変裾部
５　柔軟性を有する生地
６　芯材
７　スライドファスナ
８　袋部
９　ポケット
１０　ペン差し
１１　底
１２　前胴
１３　後胴
１４　マチ
１５　マチ
１６　舌状片
１７　舌状片
１８　雌ホック
１９　雄ホック
【図１】
2004008369.tif 000003
【図２】
2004008369.tif 000004
【図３】
2004008369.tif 000005